(57)【要約】【課題】ブラインドを通過する風を気化熱により冷却し、室内に涼風を導き、室内の気温を低下させる。【解決手段】ブラインドユニット４の各ブレード５の表面に保湿機能をもたせ、循環給水機構による常時給水で、通風時の気化熱による冷却風を室内に取り込む。使用する冷却水は、本装置内の上部にある上部貯水タンク３に給水し、循環給水機構により、ブラインドユニットの各ブレードに必要量が提供され、余剰分は、下部貯水タンク６に収容される。上部貯水タンクの水量が減少した場合は、上部貯水タンク内に設置された水位センサで検出され、循環ポンプ７により、下部貯水タンクの余剰水が上部貯水タンクに還流される【選択図】図１
2008045387.tif 000002
【特許請求の範囲】
【請求項１】
複数のブレードから構成されたブラインドを有し、ブラインドの各ブレード表面に形成した保湿部とこの保湿部に適量の気化用の給水を行うための保湿部補水機構、上下貯水タンク間を循環ポンプで接続した給水循環機構、循環ポンプの稼動・停止を制御するための上部貯水タンク水位センサおよび制御回路、日中の太陽光から充電される電源部からなり、常に一定の冷却水を含んだブレード表面の保湿部からの気化熱により、通風時の風の温度を低下させることを特徴とする涼風ブラインド装置。
【請求項２】
前記  上部貯水タンク水位センサは、ブレード保湿部への給水量が上部貯水タンク内で一定量以下になったことを検出し、制御部に通知することにより、制御部内のタイマー回路にて一定時間  循環ポンプを稼動させ、下部貯水タンク内の冷却水を上部貯水タンクに還流させることを特徴とする請求項１に記載の涼風ブラインド装置。
【請求項３】
前記  給水循環機構は上部貯水タンクと下部貯水タンクが給水パイプで接続されており、冷却水は上部貯水タンクから給水パイプ内を自然落下する。自然落下する冷却水の一部は、ブレード保湿部補水機構により各ブレードの保湿部に給水されることを特徴とする涼風ブラインド装置。
【請求項４】
前記、循環ポンプおよび制御部の電源は太陽電池ユニットによる充電機能が付加された充電池で構成されており、太陽光がある日中は電力が充電され、太陽光のない雲天や夜間は充電地に充電された電力で本装置で使用する電力を負担し、外部からの電源供給無しで稼動可能なことを特徴とする涼風ブラインド装置。
【発明の詳細な説明】
【技術分野】
【０００１】本発明は室外から差し込む直射日光を遮断する機能に加え、室外からの通風時、風の温度を水の気化熱で室外温度より低下させ涼風に変える機能を持つブラインド装置に関する。
【背景技術】
【０００２】最近は地球温暖化防止のためのＣＯ２排出削減等で高温期の冷房対策も種々の方法が考案されており、なかでも従来からの電力等を利用する冷房装置ではなく、自然にやさしい冷房方法が見直されている。
なかでも、水の気化熱を利用した冷房方法は昔からの打ち水効果として広く認識されており、これを利用した装置も考案されている。【０００３】従来、水の気化熱を利用した建物等の冷却装置は建築物の表面に少量の水を流水させて、その気化熱により建物表面の温度を下げ、室内の冷房効果を高める装置が考案されている。（たとえば特許文献１参照）
【特許文献１】特開２００４−３６０２９２号公報
【０００４】また、建築物の外壁を植栽可能な構造とし、外壁全体を植物で覆い、その植物が保有する水分の気化熱および、植物の日光遮断効果で外壁表面の温度を下げ、室内の冷房効果を高める方法も考案されている。
【発明の開示】
【発明が解決しようとする課題】
【０００５】しかしながら、これらの冷房方式は装置の設置、利用方法を考えた場合、次のような不都合がある。
建物外壁に流水させる方式は外壁表面に水を蓄える特殊な建材を使用して、屋上に設けた水タンクからパイプを用いて外壁材の表面に水を流してその気化熱で建物を冷却して室内の冷房効果を高めているが、外壁が従来の建材では水を蓄える効果がなく、従来の建物で利用するには、外壁の交換、屋上からの給水設備の設置等、簡単に採用することができない問題点があった。
また、建物の外壁を植栽で覆う方式については、特殊な壁材、屋上からの給水設備の設置に加え、さらに植栽した植物の維持管理が必要となり広く普及させるためには課題が多くあった。【０００６】外壁を気化熱で冷却し、室内の冷房効果を高める方式の場合、基本は室内を冷房装置で冷やす前提のため、冷房装置の電力は大幅に削減できず、冷房装置の排熱は地球温暖化の要因となる。
また、室内冷房のために、窓を締め切る必要があるため、新鮮な外気の通風ができないため、健康上の課題もあると考えられる。
【課題を解決しようとするための手段】
【０００７】上記課題を解決するために、本発明の目的は従来の建物に簡単に低価格で設置でき、運用コストがかからず、また直射日光を遮断し、通風を確保しながら冷却効果を出す装置を提供することである。
上記の目的を達成するために、本発明に係るブラインド装置は直射日光を遮断し、通風を確保するブラインド機能を収容し、かつ、そのブラインドの各ブレード表面に保湿機能を有し、太陽光を電源とした保湿部への循環給水機構を具備する。
【０００８】使用する冷却水は、本装置内の上部にある上部貯水タンクに給水し、循環給水機構により、ブラインド部の各ブレードに必要量が提供され、余剰分は、下部貯水タンクに収容される。上部貯水タンクの水量が減少した場合は、上部貯水タンク内に設置された水位センサで検出され、循環ポンプにより、下部貯水タンクの余剰水が上部貯水タンクに還流される。
【０００９】ブラインドの各ブレード間を通過した外気は保湿部の気化熱で冷却され室内に導入されるので、室内冷房装置を不要とする健康的な人体にやさしい涼風冷房が可能となる。
本装置は、従来の建物の窓ごとに設置可能であり、必要な部屋だけでの設置が可能となる。
また、室内冷房装置が不要のため、冷房装置からの排熱による地球温暖化防止効果も期待できる。
【発明の効果】
【００１０】本発明に係るブラインド装置は、ブラインド本来の直射日光遮断機能に加え、ブラインドの各ブレード表面に保湿機能をもたせ、循環給水機構による常時給水で、通風時の気化熱による冷却風を室内に取り込む効果がある。  また、従来の建物の窓ごとに簡単に設置可能であり、室内冷房装置を不要とし、冷房電力の削減による地球温暖化効果防止の効果もある。
【発明を実施するための最良の形態】
【００１１】以下に、本発明の実施形態を図面に基づいて説明する。
図１は、本発明の一実施形態を示す涼風ブラインド装置の構成図
図２は、同涼風ブラインド装置の設置形態図
図３は、同涼風ブラインド装置の冷却水循環図
図４は、同涼風ブラインド装置のブレード給水機構図
図５は、同涼風ブラインド装置の回路構成図
本実施形態に係る涼風ブラインド装置は既設建物の窓サッシの室外側に装着されて、外部の直射日光を遮断し、室外の高温風をブラインド内の気化熱で涼風に変えて室内に取り込む装置である。
この涼風ブラインド装置は、図２に示すようにケース１が直接、既設窓サッシ１５の屋外側に装着され、窓を開放して外部からの風を取り込める形で使用する。
本装置上部には太陽電池パネル２が装備され、本体内制御部や冷却水循環ポンプの電源となる充電電池を昼間の太陽光で充電し、外部からの電源を不要としている。【００１２】  図１において、ブラインドユニット４の上部には上部貯水タンク３が、
下部には下部貯水タンク６が配置される。上部貯水タンク３と下部貯水タンク６の間はブラインドユニットの各ブレード５表面に補水する複数の補水エレメント１０が装着された給水パイプ９で接続されている。  また、下部貯水タンクは循環ポンプ７を経由して還流水パイプ８で上部貯水タンク３に接続されている。
装置内上部には制御基板と充電電池で構成された、制御部・電源１１があり上部貯水タンクの水量の増減を水位センサで検出し、循環水ポンプの運転・停止の制御を行っている。
本装置の上部外面には太陽電池パネル２が装着され、冷却水の循環ポンプおよび制御部で使用される電力を供給する充電電池を日中の太陽光で充電しており、外部からの電源無しで運転可能となっている。【００１３】  冷却水の循環経路を図３、ブレード給水機構を図４に示す。
本装置の使用前に、外部より上部給水タンクに冷却水を補給する。
補給された冷却水により水位センサ１２はオン（上部貯水タンク水量有り）の状態となり、制御部は循環ポンプを停止状態とさせる。
上部貯水タンクの冷却水は給水パイプ９に導かれ、高低差により下部貯水タンクに流れる。給水パイプにはブラインドの各ブレード位置に合わせて、補水エレメント１０が装着されており、下部貯水タンクに流れ落ちる冷却水の一部が各ブレード表面の保湿材１３に流れ出し、各ブレード表面を常に湿った状態に保つ。
上部保水タンクの冷却水はゆっくりと下部に流れ落ち、タンク内水位もゆっくりと低下していく。水位センサが設置された位置まで水位が低下したときに水位センサはオフ（上部貯水タンク水量少）の状態となり、制御部に通知する。
制御部は水位センサの情報により、循環ポンプ７を運転して下部貯水タンクの冷却水を上部貯水タンクに還流させるよう、タイマ回路働きで一定時間の指示を出す。
これにより、再度、上部貯水タンクには冷却水が補給され、各ブレードへの補水動作が繰り返される。
この冷却水の循環において、水量は各ブレードに補水された分、減少していくため、一定量の減少で、外部からの追加給水が必要となる。
【産業上の利用可能性】
【図面の簡単な説明】
【００１４】
【図１】  本発明の装置構成図
【図２】  本発明の設置形態図
【図３】  本発明の冷却水循環図
【図４】  本発明のブレード給水機構図
【図５】  本発明の回路構成図
【符号の説明】
【００１５】  １  ケース
２  太陽電池パネル
３  上部貯水タンク
４  ブラインドユニット
５  ブレード
６  下部貯水タンク
７  循環ポンプ
８  還流水パイプ
９  給水パイプ
１０  補水エレメント
１１  制御部・電源
１２  水位センサ
１３  保湿材
１４  ブレードワイヤー
１５  既設窓サッシ
１６  建物外壁
１７  高温の外気
１８  涼風
１９  太陽光
【図１】
2008045387.tif 000003
【図２】
2008045387.tif 000004
【図３】
2008045387.tif 000005
【図４】
2008045387.tif 000006
【図５】
2008045387.tif 000007